(57)【要約】【課題】本発明は、近距離無線ネットワークを利用するデバイスの管理を効率的に行う。【解決手段】無線通信システム１は、ネットワーク設定に応じた近距離無線ネットワークＰＡＮ１、ＰＡＮ２を介してデバイスＤ１、Ｄ２、・・・とデバイス管理装置２が無線通信する。デバイス管理装置２は、デバイスＤ１、Ｄ２、・・・に対する新規ネットワーク設定を生成すると、通信時のネットワーク設定を、デバイスＤ１、Ｄ２、・・・の初期ネットワーク設定に設定して、初期ネットワーク設定のデバイスＤ１、Ｄ２、・・・へ新規ネットワーク設定を送信し、該デバイスＤ１、Ｄ２、・・・に該新規ネットワーク設定を更新させる。【選択図】          図１
2016174207.tif 000002
【特許請求の範囲】
【請求項１】
ネットワーク設定に応じた無線ネットワークを介してデバイスと無線通信を行うデバイス管理装置であって、
ネットワーク設定を保持して、該ネットワーク設定に応じた無線ネットワークを介して前記デバイスと無線通信を行う通信手段と、
前記通信手段に対して複数のネットワーク設定を切り換えて設定して該ネットワーク設定に対応する無線ネットワークを介して該ネットワーク設定を利用している前記デバイスと通信させるネットワーク設定切換手段と、
前記デバイスに対する新規ネットワーク設定を生成するネットワーク設定生成手段と、
前記ネットワーク設定切換手段に、前記初期ネットワーク設定を前記通信手段へ設定させて、該通信手段によって該初期ネットワーク設定の前記デバイスへ前記新規ネットワーク設定を送信させ、該デバイスに該新規ネットワーク設定を更新させるネットワーク設定更新手段と、
を備えていることを特徴とするデバイス管理装置。
【請求項２】
前記デバイス管理装置は、
前記デバイスを識別するデバイス識別情報を前記通信手段に取得させる識別情報取得手段と、
前記デバイスの前記デバイス識別情報と該デバイスの前記ネットワーク設定を関連付けて記憶する情報記憶手段と、
前記識別情報取得手段の取得した前記デバイスの前記デバイス識別情報を該デバイスのネットワーク設定と関連付けてデバイス管理情報として前記情報記憶手段に登録し、前記ネットワーク設定更新手段が該デバイスの該ネットワーク設定を更新させると、該デバイス管理情報の該デバイスの該デバイス識別情報を更新後の該ネットワーク設定に更新する登録手段と、
を備えていることを特徴とする請求項１記載のデバイス管理装置。
【請求項３】
前記ネットワーク設定生成手段は、
前記情報記憶手段の前記デバイス管理情報を参照して、前記ネットワーク設定を、重複を防止した状態で生成することを特徴とする請求項２記載のデバイス管理装置。
【請求項４】
前記ネットワーク設定切換手段は、
前記ネットワーク設定更新手段からネットワーク設定切換要求があった場合にのみ、前記通信手段に、前記初期ネットワーク設定を設定して、該初期ネットワーク設定の前記デバイスと通信させることを特徴とする請求項１から請求項３のいずれかに記載のデバイス管理装置。
【請求項５】
ネットワーク設定に応じた無線ネットワークを介してデバイスとデバイス管理装置が無線通信する無線通信システムであって、
前記デバイス管理装置は、
ネットワーク設定を保持して、該ネットワーク設定に応じた無線ネットワークを介して前記デバイスと無線通信を行う通信手段と、
前記通信手段に対して複数のネットワーク設定を切り換えて設定して該ネットワーク設定に対応する無線ネットワークを介して該ネットワーク設定を利用している前記デバイスと通信させるネットワーク設定切換手段と、
前記デバイスに対する新規ネットワーク設定を生成するネットワーク設定生成手段と、
前記ネットワーク設定切換手段に、前記デバイスの初期ネットワーク設定を前記通信手段に設定させて、該通信手段によって該初期ネットワーク設定の前記デバイスへ前記新規ネットワーク設定を送信させ、該デバイスに該新規ネットワーク設定を更新させるネットワーク設定更新手段と、
を備え、
前記デバイスは、
ネットワーク設定を保持して、該ネットワーク設定に応じた無線ネットワークを介して無線通信する通信手段と、
前記通信手段が新規ネットワーク設定を受信すると、前記通信手段の前記ネットワーク設定を該新規ネットワーク設定で更新する設定更新手段と、
を備えていることを特徴とする無線通信システム。
【請求項６】
ネットワーク設定に応じた無線ネットワークを介してデバイスと無線通信を行うデバイス管理装置におけるデバイス管理方法であって、
ネットワーク設定を保持して、該ネットワーク設定に応じた無線ネットワークを介して前記デバイスと通信手段で無線通信を行う通信処理ステップと、
前記通信手段に対して複数のネットワーク設定を切り換えて設定して該ネットワーク設定に対応する無線ネットワークを介して該ネットワーク設定を利用している前記デバイスと通信させるネットワーク設定切換処理ステップと、
前記デバイスに対する新規ネットワーク設定を生成するネットワーク設定生成処理ステップと、
前記ネットワーク設定切換処理ステップで、前記デバイスの初期ネットワーク設定を前記通信手段へ設定させて、該通信手段を用いた前記通信処理ステップによって該初期ネットワーク設定の前記デバイスへ前記新規ネットワーク設定を送信させ、該デバイスに該新規ネットワーク設定を更新させるネットワーク設定更新処理ステップと、
を有することを特徴とするデバイス管理方法。
【請求項７】
ネットワーク設定に応じた無線ネットワークを介してデバイスと無線通信を行うデバイス管理装置の搭載するプログラムであって、
制御プロセッサに、
ネットワーク設定を保持して、該ネットワーク設定に応じた無線ネットワークを介して前記デバイスと通信手段で無線通信を行う通信処理と、
前記通信手段に対して複数のネットワーク設定を切り換えて設定して該ネットワーク設定に対応する無線ネットワークを介して該ネットワーク設定を利用している前記デバイスと通信させるネットワーク設定切換処理と、
前記デバイスに対する新規ネットワーク設定を生成するネットワーク設定生成処理と、
前記ネットワーク設定切換処理で、前記デバイスの初期ネットワーク設定を前記通信手段へ設定させて、該通信手段を用いた前記通信処理によって該初期ネットワーク設定の前記デバイスへ前記新規ネットワーク設定を送信させ、該デバイスに該新規ネットワーク設定を更新させるネットワーク設定更新処理と、
を実行させることを特徴とするプログラム。
【発明の詳細な説明】
【技術分野】
【０００１】
本発明は、デバイス管理装置、無線通信システム、デバイス管理方法及びプログラムに関し、詳細には、近距離無線通信するデバイスを管理するデバイス管理装置、無線通信システム、デバイス管理方法及びプログラムに関する。
【背景技術】
【０００２】
近年、調光照明器、環境センサ、音響デバイス等は、ＰＡＮ（Personal Area Network）等の近距離無線通信技術を使用してデバイス動作の制御等が行われるようになってきている。このような近距離無線通信（以下、単に、近距離無線ネットワークという。）においては、管理装置に、上記デバイスを登録して、管理することが行われている。例えば、パソコンを管理装置として、ＰＤＡ（Personal Digital Assistants ）、携帯電話、携帯音楽プレーヤー、ヘッドセット等を登録して、相互通信して、管理する。
【０００３】
このような近距離無線ネットワークにおけるデバイスの管理は、管理装置にデバイスのネットワーク設定を登録して、管理装置とデバイス、デバイスとデバイスの通信を可能とする必要がある。
【０００４】
そして、通常、デバイスには、初期ネットワーク設定（例えば、ＰＡＮでは、「０」）が設定されており、デバイスは、初期ネットワーク設定で通信を行うと、同じ初期ネットワーク設定の他のデバイスや初期ネットワーク設定の管理装置と通信が可能となっている。
【０００５】
ところが、デバイスを管理装置で管理するには、ネットワーク設定を、管理下の固有のネットワーク設定に変更して、管理の正確性を確保する必要がある。
【０００６】
そして、従来、デバイスのネットワーク設定の初期設定から固有の設定への変更を、手操作によって行っており、デバイスの管理性が悪いという問題があった。
【０００７】
そして、従来、ネットワーク識別子によって特定される無線ネットワークと、自己に設定されるネットワーク識別子と同一のネットワーク識別子で特定される前記無線ネットワークに接続される無線通信機器と、固有のネットワーク識別子が設定された機器情報設定端末とを備えた無線通信システムであって、前記無線通信機器は、前記自己に設定されるネットワーク識別子を第１のネットワーク識別子とし、前記機器情報設定端末に設定されている固有のネットワーク識別子と同一のネットワーク識別子を第２のネットワーク識別子とし、この第１のネットワーク識別子および第２のネットワーク識別子を記憶するネットワーク識別子記憶手段と、前記第１のネットワーク識別子によって特定される無線ネットワークへの接続要求を行い、この第１のネットワーク識別子によって特定される無線ネットワークと接続することができなかった場合、前記第２のネットワーク識別子によって特定される無線ネットワークへの接続要求を行う無線ネットワーク接続手段と、前記第２のネットワーク識別子によって特定される無線ネットワークとの接続中、前記機器情報設定端末から送られてくる当該機器情報設定端末においてユーザが指定した所望のネットワーク識別子を受信し、この受信したネットワーク識別子を自己に設定される新たなネットワーク識別子として前記ネットワーク識別子記憶手段が記憶している第１のネットワーク識別子を更新するネットワーク識別子更新手段とを備え、前記機器情報設定端末は、前記固有のネットワーク識別子を記憶する固有ネットワーク識別子記憶手段と、ユーザが指定する所望のネットワーク識別子の入力部と、この入力部より入力されたネットワーク識別子を前記無線通信機器へ送信するネットワーク識別子送信手段とを備える無線通信システムが提案されている（特許文献１参照）。
【０００８】
すなわち、この従来技術は、デバイスに機器情報設定端末として設定されている固有のネットワーク識別子と同一のネットワーク識別子を第２のネットワーク識別子として記憶させて、それによって特定される無線ネットワークへの接続を行い、その接続中に機器情報設定端末から送られてくるユーザが指定した所望のネットワーク識別子を新たなネットワーク識別子として第１のネットワーク識別子を更新している。したがって、この従来技術は、ユーザが設定するネットワーク識別子をデバイス毎に手動で入力している。
【発明の概要】
【発明が解決しようとする課題】
【０００９】
しかしながら、上記公報記載の従来技術にあっては、デバイス毎に、手操作でネットワーク識別子を入力しているため、デバイスの管理性が悪いという問題があった。
【００１０】
そこで、本発明は、近距離無線ネットワークを利用するデバイスの管理を効率的に行うことを目的としている。
【課題を解決するための手段】
【００１１】
上記目的を達成するために、請求項１記載のデバイス管理装置は、ネットワーク設定に応じた無線ネットワークを介してデバイスと無線通信を行うデバイス管理装置であって、ネットワーク設定を保持して、該ネットワーク設定に応じた無線ネットワークを介して前記デバイスと無線通信を行う通信手段と、前記通信手段に対して複数のネットワーク設定を切り換えて設定して該ネットワーク設定に対応する無線ネットワークを介して該ネットワーク設定を利用している前記デバイスと通信させるネットワーク設定切換手段と、前記デバイスに対する新規ネットワーク設定を生成するネットワーク設定生成手段と、前記ネットワーク設定切換手段に、前記初期ネットワーク設定を前記通信手段へ設定させて、該通信手段によって該初期ネットワーク設定の前記デバイスへ前記新規ネットワーク設定を送信させ、該デバイスに該新規ネットワーク設定を更新させるネットワーク設定更新手段と、を備えていることを特徴としている。
【発明の効果】
【００１２】
本発明によれば、近距離無線ネットワークを利用するデバイスの管理を効率的に行うことができる。
【図面の簡単な説明】
【００１３】
【図１】本発明の一実施例を適用した無線通信システムの構成図。
【図２】サーバ装置のブロック構成図。
【図３】管理装置のブロック構成図。
【図４】デバイス管理テーブルの一例を示す図。
【図５】デバイスのブロック構成図。
【図６】無線通信システムの機能ブロック図。
【図７】ネットワーク設定処理を開始する前の無線通信システムの説明図。
【図８】ネットワーク設定処理を示すフローチャート。
【図９】ＰＡＮ設定処理のシーケンス図。
【図１０】図８のＰＡＮ設定を行ったときの無線通信システムの説明図。
【図１１】デバイス検索処理のシーケンス図。
【図１２】デバイス登録処理のシーケンス図。
【図１３】１つのデバイスの登録が行われたときの無線通信システムの説明図。
【図１４】デバイス登録完了処理のシーケンス図。
【図１５】ネットワーク設定処理が完了したときの無線通信システムの説明図。
【図１６】新たなデバイスを登録する際のデバイス管理テーブルの一例を示す図。
【図１７】デバイス削除時のデバイス管理テーブルの一例を示す図。
【図１８】削除されたデバイスのＰＡＮアドレスへの優先登録を行うデバイス管理テーブルの一例を示す図。
【図１９】デバイス追加登録処理を示すフローチャート。
【図２０】デバイス削除処理を示すフローチャート。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図２０は、本発明のデバイス管理装置、無線通信システム、デバイス管理方法及びプログラムの一実施例を示す図であり、図１は、本発明のデバイス管理装置、無線通信システム、デバイス管理方法及びプログラムの一実施例を適用した無線通信システム１の構成図である。
【００１６】
図１において、無線通信システム１は、デバイス管理装置２と複数のデバイスＤ１、D２、・・・を備えている。
【００１７】
デバイス管理装置２は、管理装置Ｋｓとサーバ装置Ｓｖを備えており、管理装置Ｋｓとサーバ装置Ｓｖは、有線ＬＡＮ（Local Area Network）等のネットワークＮＷで接続されている。ネットワークＮＷは、ＬＡＮに限るものではない。
【００１８】
デバイスＤ１、Ｄ２、・・・は、デバイス管理装置２からの動作制御信号によって各種動作を行うデバイスである。デバイスＤ１、Ｄ２、・・・は、各種動作を行う動作部として、照明用のＬＥＤ（Light Emitting Diode）、環境状況を検出する環境センサ等を備えており、調光デバイス、環境センサデバイス等となっている。
【００１９】
デバイス管理装置２の管理装置ＫｓとデバイスＤ１、Ｄ２、・・・は、近距離無線通信技術による近距離無線ネットワークＰＡＮ１、ＰＡＮ２により、相互に通信する。近距離無線ネットワークＰＡＮ１、ＰＡＮ２は、本実施例では、ＰＡＮ技術が用いられているものとし、近距離無線ネットワークＰＡＮ１、ＰＡＮ２は、それぞれのネットワーク設定で決定される管理装置ＫｓとデバイスＤ１、Ｄ２、・・・の間で通信される。なお、近距離無線ネットワークは、ＰＡＮに限るものではない。
【００２０】
サーバ装置Ｓｖは、一般的なハードウェア構成、ソフトウェア構成に、本発明のデバイス管理方法のうち管理装置Ｋｓが実行すべき部分を実行するプログラムが導入されたサーバ装置が用いられている。サーバ装置Ｓｖは、例えば、図２に示すように、ＣＰＵ（Central Processing Unit）１１、ＲＯＭ（Read Only Memory）１２、ＲＡＭ（Random Access Memory）１３、不揮発性メモリ１４、入力Ｉ／Ｆ１５、出力Ｉ／Ｆ１６及び通信デバイス１７等を備えている。サーバ装置Ｓｖは、各部が、バス１８で接続されている。なお、本発明は、サーバ装置Ｓｖがなくても、管理装置Ｋｓだけであってもよい。
【００２１】
ＲＯＭ１２は、サーバ装置Ｓｖとしての基本プログラム、本発明のデバイス管理方法を実行するプログラム及びシステムデータ等を格納している。
【００２２】
ＲＡＭ１３は、ＣＰＵ１１のワークメモリとして利用され、各種データを記憶する。
【００２３】
ＣＰＵ１１は、ＲＯＭ１２内のプログラムに基づいて、ＲＡＭ１３をワークメモリとして利用しつつ、サーバ装置Ｓｖの各部を制御してサーバ装置Ｓｖとしての基本処理を実行するとともに、本発明のデバイス管理方法を実行する。特に、ＣＰＵ１１は、デバイス管理方法のうち、デバイス管理装置２のサーバ装置Ｓｖとして実行する部分を実行する。
【００２４】
不揮発性メモリ１４は、サーバ装置Ｓｖの電源がオフの場合にも記憶すべきデータを記憶し、特に、デバイス管理方法の実行で必要なデータを、ＣＰＵ１１の制御下で、記憶する。特に、不揮発性メモリ１４は、ＣＰＵ１１の制御下で、管理対象のデバイスＤ１、Ｄ２、・・・の情報を記憶する。
【００２５】
入力Ｉ／Ｆ１５には、キーボード、マウス、スタイラスペン、タッチパネル等の入力デバイスが接続され、入力Ｉ／Ｆ１５は、入力デバイスから入力される各種命令等をＣＰＵ１１へ出力する。
【００２６】
出力Ｉ／Ｆ１６には、ディスプレイ、ランプ、スピーカ等の出力デバイスが接続され、出力Ｉ／Ｆ１６は、ＣＰＵ１１の制御下で、出力デバイスに表示データ、点滅データ、音声データ等の出力データを出力する。
【００２７】
通信デバイス１７は、ＬＡＮ等のネットワークＮＷの通信規格で管理装置Ｋｓと有線通信を行う通信デバイスであり、ＣＰＵ１１の制御下で、管理装置ＫｓとネットワークＮＷを介して有線通信を行う。
【００２８】
管理装置Ｋｓは、一般的なハードウェア構成、ソフトウェア構成に、本発明のデバイス管理方法を実行するプログラムが導入されたコンピュータが用いられている。管理装置Ｋｓは、例えば、図３に示すように、ＣＰＵ２１、ＲＯＭ２２、ＲＡＭ２３、不揮発性メモリ２４、入力Ｉ／Ｆ２５、出力Ｉ／Ｆ２６及び通信デバイス２７等を備えている。管理装置Ｋｓは、各部が、バス２８で接続されている。
【００２９】
ＲＯＭ２２は、管理装置Ｋｓとしての基本プログラム、本発明のデバイス管理方法を実行するプログラム及びシステムデータ等を格納している。
【００３０】
ＲＡＭ２３は、ＣＰＵ１１のワークメモリとして利用され、各種データを記憶する。
【００３１】
ＣＰＵ２１は、ＲＯＭ２２内のプログラムに基づいて、ＲＡＭ２３をワークメモリとして利用しつつ、管理装置Ｋｓの各部を制御して管理装置Ｋｓとしての基本処理を実行するとともに、本発明のデバイス管理方法を実行する。特に、ＣＰＵ２１は、デバイス管理方法のうち、デバイス管理装置２の管理装置Ｋｓとして実行する部分を実行する。
【００３２】
不揮発性メモリ２４は、管理装置Ｋｓの電源がオフの場合にも記憶すべきデータを記憶し、特に、デバイス管理方法の実行で必要なデータを、ＣＰＵ２１の制御下で、記憶する。特に、不揮発性メモリ２４は、デバイスＤ１、Ｄ２、・・・の管理に必要なデータとして、例えば、図４に示すようなデバイス管理テーブルＴｂ１を記憶する。デバイス管理テーブル（デバイス管理情報）Ｔｂ１は、ＰＡＮアドレス、ＭＡＣアドレス、デバイス情報の各項目に対して、デバイス毎に、後述するように、検索して登録する順番に、小さいＰＡＮアドレスを割り当てて、ＭＡＣアドレス、デバイス情報が登録される。また、デバイス管理テーブルＴｂ１は、管理装置Ｋｓ自身のＰＡＮアドレス、ＭＡＣアドレス、デバイス情報が、先頭（最も小さい）ＰＡＮアドレスに登録されている。
【００３３】
入力Ｉ／Ｆ２５には、キーボード、マウス、スタイラスペン、タッチパネル等の入力デバイスが接続され、入力Ｉ／Ｆ２５は、入力デバイスから入力される各種命令等をＣＰＵ２１へ出力する。
【００３４】
出力Ｉ／Ｆ２６には、ディスプレイ、ランプ、スピーカ等の出力デバイスが接続され、出力Ｉ／Ｆ２６は、ＣＰＵ２１の制御下で、出力デバイスに表示データ、点滅データ、音声データ等の出力データを出力する。
【００３５】
通信デバイス２７は、ＬＡＮ等のネットワークＮＷの通信規格で管理装置Ｋｓと有線通信を行う通信デバイス、及び、ＰＡＮ規格の近距離無線通信技術による通信を行う通信デバイスである。通信デバイス２７は、ＣＰＵ１１の制御下で、サーバ装置ＳｖとネットワークＮＷを介して有線通信を行い、また、ＰＡＮのネットワーク設定に応じた近距離無線ネットワークＰＡＮ１、ＰＡＮ２を介してデバイスＤ１、Ｄ２、・・・と近距離無線通信する。特に、通信デバイス２７は、近距離無線通信用に、内部メモリを備え、該内部メモリに、ネットワーク設定情報が登録される。通信デバイス２７は、該内部メモリに登録されているネットワーク設定情報に基づいて、該ネットワーク設定で規定される近距離無線ネットワークＰＡＮ１、ＰＡＮ２等を介して、デバイスＤ１、Ｄ２、・・・等の相手先と近距離無線通信する。
【００３６】
なお、無線通信システム１は、図１では、デバイス管理装置２が、１台のサーバ装置Ｓｖと１台の管理装置Ｋｓを備えているが、管理装置Ｋｓを、複数台備えていてもよい。
【００３７】
そして、デバイスＤ１、Ｄ２、・・・は、図５に示すように、通信デバイス３１、動作制御デバイス３２及び動作デバイス３３等を備えている。
【００３８】
通信デバイス３１は、ＰＡＮ規格の近距離無線通信技術によって無線通信する通信デバイスである。通信デバイス２７は、ＰＡＮのネットワーク設定に応じた近距離無線ネットワークＰＡＮ１、ＰＡＮ２を介して他のデバイスＤ１、Ｄ２、・・・及び管理装置Ｋｓと近距離無線通信する。特に、通信デバイス３１は、近距離無線通信用に、内部メモリを備え、該内部メモリに、初期には、予め初期ネットワーク設定（例えば、「０」）が設定されているが、その後、動作制御デバイス３２によって新規ネットワーク設定情報が登録される。通信デバイス２７は、該内部メモリに登録されているネットワーク設定情報に基づいて、該ネットワーク設定で規定される近距離無線ネットワークＰＡＮ１、ＰＡＮ２等を介して、デバイスＤ１、Ｄ２、・・・と近距離無線通信する。
【００３９】
動作制御デバイス３２は、ドライバＩＣ等で構成され、通信デバイス３１が受信した制御信号に基づいて、動作デバイス３３の駆動を行う。また、動作制御デバイス３２は、後述するように、通信デバイスのネットワーク設定が新規ネットワーク設定（デフォルトネットワーク設定）であると、新規ネットワーク設定を管理装置Ｋｓから受信して、通信デバイス３１へ設定するまで、一定間隔でデバイス検索通知を管理装置Ｋｓに対して通報させる。
【００４０】
動作デバイス３３は、例えば、動作制御デバイス３２の制御下で、オン／オフ、照度調整等の行われる照明用ＬＥＤ、動作制御デバイス３２の制御下で環境状況の検出を行う環境センサ等である。
【００４１】
そして、無線通信システム１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の情報識別方法を実行する情報識別プログラムを読み込んで、サーバ装置ＳｖのＲＯＭ１２、管理装置ＫｓのＲＯＭ２２及びデバイスＤ１、Ｄ２、・・・の動作制御デバイス３２に導入することで、後述する近距離無線ネットワークを利用するデバイスの管理を効率的に行うデバイス管理方法を実行する無線通信システム１として構築されている。このデバイス管理方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００４２】
無線通信システム１は、デバイス管理方法を実行するプログラムが導入されることで、図６に示すような機能ブロックが構築される。すなわち、デバイス管理装置２は、通信部４１、ネットワーク設定切換部４２、ネットワーク設定生成部４３、ネットワーク設定更新部４４、識別情報取得部４５、登録部４６及び情報記憶部４７が構築される。
【００４３】
なお、デバイス管理装置２は、本発明の主要機能が、管理装置Ｋｓのみによって構築され、サーバ装置Ｓｖは、管理装置Ｋｓに、動作指示を行うのみである。そこで、以下の説明においては、適宜、ネットワーク設定切換部４２、ネットワーク設定生成部４３、ネットワーク設定更新部４４、識別情報取得部４５、登録部４６を、制御部４０としてまとめて説明する。デバイスＤ１、Ｄ２、・・・は、通信部５１と設定更新部５２が構築される。
【００４４】
通信部４１は、ネットワーク設定を保持して、該ネットワーク設定に応じた近距離無線ネットワークＰＡＮ１、ＰＡＮ２を介してデバイスＤ１、Ｄ２、・・・と無線通信を行う。したがって、通信部４１は、通信手段として機能している。
【００４５】
ネットワーク設定切換部４２は、通信部４１に対して複数のネットワーク設定を切り換えて設定して、該ネットワーク設定に対応する近距離無線ネットワークＰＡＮ１、ＰＡＮ２を介して該ネットワーク設定を利用しているデバイスＤ１、Ｄ２、・・・と通信させる。したがって、ネットワーク設定切換部４２は、ネットワーク設定切換手段として機能している。
【００４６】
ネットワーク設定生成部４３は、デバイスＤ１、Ｄ２、・・・に対する新規ネットワーク設定を生成する。したがって、ネットワーク設定生成部４３は、ネットワーク設定生成手段として機能している。
【００４７】
ネットワーク設定更新部４４は、ネットワーク設定切換部４２に、初期ネットワーク設定を通信部４１へ設定させて、該初期ネットワーク設定のデバイスＤ１、Ｄ２、・・・に、ネットワーク設定生成部４３の生成した新規ネットワーク設定を送信させ、該デバイスに該新規ネットワーク設定を更新させる。したがって、ネットワーク設定更新部４４は、ネットワーク設定更新手段として機能している。
【００４８】
識別情報取得部４５は、デバイスＤ１、Ｄ２、・・・を識別するデバイス識別情報を通信部４１に取得させる。したがって、識別情報取得部４５は、識別情報取得手段として機能している。
【００４９】
情報記憶部４７は、デバイスＤ１、Ｄ２、・・・のデバイス識別情報と該デバイスＤ１、Ｄ２、・・・のネットワーク設定を関連付けてデバイス管理情報として記憶する。情報記憶部４７は、デバイス管理情報を、例えば、デバイス管理テーブルＴｂ１として、デバイスＤ１、Ｄ２、・・・のデバイス識別情報と該デバイスＤ１、Ｄ２、・・・のネットワーク設定を関連付けて記憶する。したがって、情報記憶部４７は、情報記憶手段として機能している。
【００５０】
登録部４６は、識別情報取得部４５の取得したデバイスＤ１、Ｄ２、・・・のデバイス識別情報を該デバイスＤ１、Ｄ２、・・・のネットワーク設定と関連付けて情報記憶部４７のデバイス管理テーブルＴｂ１に登録する。また、登録部４６は、ネットワーク設定更新部４４が該デバイスＤ１、Ｄ２、・・・のネットワーク設定を更新させると、情報記憶部４７のデバイス管理テーブルＴｂ１の該デバイスＤ１、Ｄ２、・・・のデバイス識別情報を更新後の該ネットワーク設定に更新する。したがって、登録部４６は、登録手段として機能している。
【００５１】
そして、デバイスＤ１、Ｄ２、・・・は、通信部５１が、ネットワーク設定を保持して、該ネットワーク設定に応じた近距離無線ネットワークＰＡＮ１、ＰＡＮ２を介して無線通信する。したがって、通信部５１は、通信手段として機能している。
【００５２】
設定更新部５２は、通信部５１が新規ネットワーク設定を受信すると、通信部５１のネットワーク設定を該新規ネットワーク設定で更新する。したがって、設定更新部５２は、設定更新手段として機能している。
【００５３】
次に、本実施例の作用を説明する。本実施例の無線通信システム１は、デバイス管理装置２が、近距離無線ネットワークＰＡＮ１、ＰＡＮ２を利用するデバイスＤ１、Ｄ２、・・・の管理を効率的に行う。
【００５４】
なお、デバイス管理装置２は、本発明の主要機能が、管理装置Ｋｓのみによって構築され、サーバ装置Ｓｖは、管理装置Ｋｓに、動作指示を行うのみである。そこで、以下の説明においては、図７、図１０、図１３、図１５に示すように、適宜、ネットワーク設定切換部４２、ネットワーク設定生成部４３、ネットワーク設定更新部４４、識別情報取得部４５、登録部４６を、制御部４０としてまとめて説明する。また、サーバ装置Ｓｖは、上記通信部５１と設定更新分５２という機能部を備えているものとして説明する。
【００５５】
無線通信システム１は、デバイス管理装置２が、デバイスＤ１、Ｄ２、・・・のネットワーク設定を、初期ネットワーク設定から固有ネットワーク設定に更新することで、該固有ネットワーク設定での、デバイスＤ１、Ｄ２、・・・の動作管理を行う。
【００５６】
いま、図７に示す近距離無線ネットワークＰＡＮ１、ＰＡＮ２は、近距離無線ネットワークＰＡＮ１が、初期ネットワーク設定による近距離無線ネットワークであり、近距離無線ネットワークＰＡＮ２が、固有ネットワーク設定での近距離無線ネットワークとする。
【００５７】
図７は、管理装置Ｋｓの通信部４１のネットワーク設定とデバイスＤ１、Ｄ２、・・・の通信部５１のネットワーク設定が、同じ初期（デフォルト）ネットワーク設定であり、近距離無線ネットワークＰＡＮ１を介して通信可能であることを示している。
【００５８】
そして、無線通信システム１は、デバイス管理装置２が、図７に示すように、管理装置ＫＳのデバイス管理テーブルＴｂ１にデバイスＤ１、Ｄ２、・・・のデバイス情報とＰＡＮ情報を登録して、デバイスＤ１、Ｄ２、・・・の動作管理を行う。
【００５９】
そこで、まず、デバイス管理装置２は、サーバ装置Ｓｖが、図８に示すように、管理装置Ｋｓのデバイス管理テーブルＴｂ１に登録されていないデバイスＤ１、Ｄ２、・・・のネットワーク設定を行うために、ネットワーク設定要求を行う。すなわち、サーバ装置Ｓｖは、図８に示すように、管理装置Ｋｓに対して、近距離無線ネットワークＰＡＮ２上で無線通信するためのパラメータを設定するＰＡＮ設定を行う（ステップＳ１０１）。
【００６０】
この場合、図９に示すように、サーバ装置Ｓｖは、ネットワークＮＷを介して、管理装置Ｋｓに、ネットワーク設定要求としてＰＡＮアドレス設定要求を送信する（Ｓ１）。このＰＡＮアドレス設定要求では、サーバ装置Ｓｖは、固有ネットワーク設定情報として、ＰＨＹチャネル、ＰＨＹ送信出力、ＰＨＹ  ＡＲＩＢＭｏｄｅ、ＰＨＹＦＳＫＯｐｅＭｏｄｅの信号を、管理装置Ｋｓへ送信する。
【００６１】
管理装置Ｋｓは、ネットワーク設定要求がサーバ装置Ｓｖからあると、ネットワーク設定情報を情報記憶部４７（不揮発領域）に記憶する（Ｓ１．１）。管理装置Ｋｓは、管理装置ＰＡＮ  ＰＨＹ設定要求を発生させて、自己の通信部４１に、サーバ装置Ｓｖから受け取った固有ネットワーク設定情報のＰＡＮ  ＰＨＹを通信部４１へ設定する（Ｓ１．２、Ｓ１．２．１）。
【００６２】
無線通信システム１は、管理装置Ｋｓが上記固有ネットワーク設定（ＰＡＮ設定）を行うと、図１０に示すように、管理装置Ｋｓは、通信部４１が、デバイスＤ１、Ｄ２、・・・の無線通信が可能な近距離無線ネットワークＰＡＮ１から切り離される。そして、通信部４１は、固有ネットワーク設定での無線通信が可能な近距離無線ネットワークＰＡＮ２に接続されることになる。いま、管理装置Ｋｓのみが、近距離無線ネットワークＰＡＮ２で通信可能となるが、固有ネットワーク設定の近距離無線ネットワークＰＡＮ２には、デバイスＤ１、Ｄ２、・・・は、接続されないため、無線通信が発生しない。
【００６３】
管理装置Ｋｓは、ネットワーク設定要求がサーバ装置Ｓｖからあると、次のデバイス検索要求に応じて、上記初期ネットワーク設定の未登録デバイスＤ１、Ｄ２、・・・からの通信をもとに、登録対象となるデバイスＤ１、Ｄ２、・・・を見つける。
【００６４】
すなわち、管理装置Ｋｓは、ネットワーク設定を行うと、図８に示すデバイス検索処理を行う（ステップＳ１０２）。
【００６５】
管理装置Ｋｓは、具体的には、ネットワーク設定を行うと、図１１に示すように、サーバ装置Ｓｖからのデバイス検索要求に応じて、デバイス検索処理を行う。
【００６６】
すなわち、無線通信システム１は、図１１に示すように、サーバ装置Ｓｖが、管理装置Ｋｓに対して、デバイス検索要求を行い（Ｓ１）、管理装置Ｋｓが、該デバイス検索要求を受け付ける（Ｓ１．１）。
【００６７】
管理装置Ｋｓは、ネットワーク設定として、初期（デフォルト）ネットワーク設定を情報記憶部４７から取得し（Ｓ１．１．１）、通信部４１のネットワーク設定を初期ネットワーク設定に変更する（Ｓ１．１．１．１）。この時点で、管理装置Ｋｓは、図７に示したように、初期ネットワーク設定の近距離無線ネットワークＰＡＮ１に接続して、初期ネットワーク設定のデバイスＤ１、Ｄ２、・・・と通信可能となる。
【００６８】
管理装置Ｋｓは、通信部４１にデバイス検索開始要求を設定し（Ｓ１．１．２）、通信部４１が、予め設定されている検索時間の間、デバイスＤ１、Ｄ２、・・・からのデバイス検索通知の受信を行う。
【００６９】
未登録のデバイスＤ１、Ｄ２、・・・は、管理装置Ｋｓに自身が登録されるまで、一定間隔でデバイス検索通知を、初期ネットワーク設定の近距離無線ネットワークＰＡＮ１を介して管理装置Ｋｓに対して行う。
【００７０】
管理装置Ｋｓは、デバイスＤ１、Ｄ２、・・・からのデバイス検索通知を受信すると、そのデバイス検索通知に含まれているデバイス情報が、図示しない検索デバイスリストに登録されているかチェックする。管理装置Ｋｓは、受信したデバイス情報が検索デバイスリストに登録されていないと、そのデバイス情報を、検索デバイスリストとして保存する（Ｓ２、Ｓ３）。
【００７１】
すなわち、管理装置Ｋｓは、図８に示すように、デバイス検索処理を開始すると、検索で見つかり、検索デバイスリストに登録されていないデバイスＤ１、Ｄ２、・・・を、検索デバイスリストへ順次登録する（ステップＳ１０２）。
【００７２】
管理装置Ｋｓは、検索時間が経過すると、図１１に示すように、制御部４０が、通信部４１へデバイス検索終了要求を行い、デバイス検索を終了させる（Ｓ４）。
【００７３】
管理装置Ｋｓは、デバイス検索処理を終了すると、該デバイス検索処理で見つかったデバイスをデバイス管理テーブルＴｂ１に登録する登録処理を行う（ステップ１０３〜Ｓ１０６）。管理装置Ｋｓは、見つかった数だけ登録処理を行うと、ネットワーク設定処理を終了する。
【００７４】
すなわち、管理装置Ｋｓは、図１１に示すように、制御部４０が、上記固有ネットワーク設定情報を、情報記憶部４７から読み出して、通信部４１へ固有ネットワーク設定情報を設定する（Ｓ５．１）。
【００７５】
管理装置Ｋｓは、ネットワークＮＷを介してサーバ装置Ｓｖに、デバイス検索要求結果を送信する。管理装置Ｋｓは、このデバイス検索要求結果として、デバイス検索で見つかった検索デバイスリストのデバイス一覧（デバイスＤ１、Ｄ２、・・・のＭＡＣアドレスとデバイスの種別（環境センサ、調光等）をサーバ装置Ｓｖへ送信する（Ｓ６）。
【００７６】
そして、無線通信システム１は、上記デバイス登録処理を、図１２に示すように実行する。なお、このデバイス登録処理においても、無線通信システム１は、サーバ装置Ｓｖが、管理装置Ｋｓに対して、デバイス登録要求を行って、管理装置Ｋｓが、検索したデバイスの登録を行う。
【００７７】
すなわち、図１２に示すように、サーバ装置Ｓｖは、デバイス検索で見つかったデバイス毎に、管理装置Ｋｓに対してデバイス登録要求を行う（Ｓ１）。
【００７８】
管理装置Ｋｓは、デバイス登録要求を受け付けると（Ｓ１．１）、デバイス管理テーブルＴｂ１に重複しないＰＡＮアドレスを１つ準備する（Ｓ１．１．１）。
【００７９】
管理装置Ｋｓは、未登録のデバイスＤ１、Ｄ２、・・・と通信するために、通信部４１のネットワーク設定を、一旦、デフォルト（初期）のネットワーク設定（ＰＡＮ  ＰＨＹ設定）に変更する（Ｓ１．１．２．１）。
【００８０】
初期ネットワークに設定すると、管理装置Ｋｓは、登録対象のデバイスＤ１、Ｄ２、・・・に対してＰＡＮ参加要求を送信し、デバイスＤ１、Ｄ２、・・・に対してＰＡＮアドレスを知らせる（Ｓ１．１．３）。この場合、管理装置Ｋｓは、初期ネットワーク設定の近距離無線ネットワークＰＡＮ１を介してＰＡＮ参加要求をデバイスＤ１、Ｄ２、・・・へ送信する。
【００８１】
ＰＡＮ参加要求を受信したデバイスＤ１、Ｄ２、・・・は、設定変更部５２内の不揮発領域の自身のＰＡＮアドレスを更新する（Ｓ１．１．３．１）。
【００８２】
管理装置Ｋｓは、続いて、デバイスＰＡＮ  ＰＨＹ設定要求をデバイスＤ１、Ｄ２、・・・に対して送信する（Ｓ１．１．４）。
【００８３】
デバイスＰＡＮ  ＰＨＹ設定要求を受け取ったデバイスＤ１、Ｄ２、・・・は、設定変更部５２内の自身のＰＡＮ  ＰＨＹ情報（固有ネットワーク設定）で、実際に通信を行う通信部５１のＰＨＹの設定を更新する（Ｓ１．１．４．１）。この段階で、ネットワーク設定の変更を行ったデバイスＤ１、Ｄ２、・・・は、固有ネットワーク設定の近距離無線ネットワークＰＡＮ２で通信することになる。
【００８４】
管理装置Ｋｓは、自身のＰＡＮ  ＰＨＹ設定も、デバイス管理テーブルＴｂ１（不揮発領域）に保持していた変更後の固有ネットワーク設定のＰＡＮ  ＰＨＹ設定に更新する（Ｓ１．１．５．１）。
【００８５】
管理装置Ｋｓは、ネットワーク設定を固有ネットワーク設定に変更すると、再度、デバイスＤ１、Ｄ２、・・・に対してデバイス所在確認開始要求を行う（Ｓ１．１．６）。
【００８６】
デバイスＤ１、Ｄ２、・・・は、既にＰＡＮ  ＰＨＹ設定が固有ネットワーク設定に変更されているため、図１３に示すように、近距離無線ネットワークＰＡＮ２を介して、デバイス所在確認開始要求を受信することができる。デバイス所在確認開始要求を受信したデバイスＤ１、Ｄ２、・・・は、受信結果をＬＥＤ点滅等により通知する（Ｓ１．１．６．１）。
【００８７】
管理装置Ｋｓは、デバイス登録要求結果をサーバ装置Ｓｖに送信して、デバイス登録要求が完了したことを通知する（Ｓ１．１．７）。
【００８８】
そして、無線通信システム１は、デバイス登録の完了を行うために、図１４に示すように、デバイス登録完了処理を行う。
【００８９】
すなわち、図１４に示すデバイス登録完了処理では、サーバ装置Ｓｖから管理装置Ｋｓへデバイス登録完了要求を行って、１つのデバイスＤ１、Ｄ２、・・・の登録が完了したことを通知する（Ｓ１．１．７）。
【００９０】
管理装置Ｋｓは、デバイスＤ１、Ｄ２、・・・に対して通信をするために、サーバ装置Ｓｖから受け取ったＭＡＣアドレスとデバイス管理テーブルＴｂ１（不揮発領域）に保持している情報に基いて、ＰＡＮアドレスを取得する（Ｓ１．１．１）。
【００９１】
管理装置Ｋｓは、デバイスＤ１、Ｄ２、・・・に対して、ＰＡＮアドレスを使用して、デバイス所在確認完了要求を送信する（Ｓ１．１．２）。
【００９２】
デバイス所在確認完了要求を受信したデバイスＤ１、Ｄ２、・・・は、ＬＥＤ等の点滅を停止する（Ｓ１．１．２．１）。
【００９３】
管理装置Ｋｓは、デバイスＤ１、Ｄ２、・・・からの応答を受信し、その結果をサーバ装置Ｓｖに対してデバイス登録完了結果として送信する（Ｓ１．１．３）。
【００９４】
無線通信システム１は、図１２から図１４の処理で、１つのデバイスＤ１、Ｄ２、・・・の登録が完了したこととなり、複数のデバイスＤ１、Ｄ２、・・・を登録する際には、図１２から図１４までの処理を繰り返し行う。
【００９５】
そして、無線通信システム１は、未登録の全てのデバイスＤ１、Ｄ２、・・・の登録処理が完了すると、図１５に示すように、全てのデバイスＤ１、Ｄ２、・・・と管理装置Ｋｓとが、固有ネットワーク設定の近距離無線ネットワークＰＡＮ２で通信可能となる。
【００９６】
そして、管理装置Ｋｓは、上記デバイス管理テーブルＴｂ１の管理処理を、図１６から図２０に示すように行う。すなわち、管理装置Ｋｓは、図４に示したようなデバイス管理テーブルＴｂ１を、不揮発性メモリ２４、すなわち、情報記憶部４７に格納している。管理装置Ｋｓは、図４の状態で、新たなデバイスの登録を行う場合、まず、図４の時点で、ＰＡＮアドレスのうち、空き番で最も小さい番号を次のＰＡＮアドレス（図４の場合、「７」）として用意する。この状態で、デバイスＤ１、Ｄ２、・・・の追加が発生すると、管理装置Ｋｓは、図１６に示すように、用意した空き番号で最も小さい番号のＰＡＮアドレスにデバイスを追加する。
【００９７】
そして、管理装置Ｋｓは、次に割り振るＰＡＮアドレスとして、空き番号で最も小さい番号のＰＡＮアドレス（図１６では、「８」）を用意する。
【００９８】
管理装置Ｋｓは、図１７に示すように、デバイスＤ１、Ｄ２、・・・の削除、例えば、ＰＡＮアドレス「４」のデバイスが削除されると、デバイス管理テーブルＴｂ１の対応するＰＡＮアドレスの項目を全て削除する。デバイス管理テーブルＴｂ１は、削除されたＰＡＮアドレスは、欠番となり、次に追加するデバイスＤ１、Ｄ２、・・・に対して、優先して割り付けるＰＡＮアドレスとなる。
【００９９】
したがって、管理装置Ｋｓは、図１７に示した削除されたＰＡＮアドレスが存在する状態で、デバイスＤ１、Ｄ２、・・・の追加が発生すると、図１８に示すように、削除されたＰＡＮアドレスを優先して、追加デバイスを登録する。この場合、管理装置Ｋｓは、ＰＡＮアドレスのうち、空き番で最も小さい番号が次のＰＡＮアドレス（図１８の場合、「８」）を、次に割り振るＰＡＮアドレスとして用意する。
【０１００】
すなわち、管理装置Ｋｓは、デバイスＤ１、Ｄ２、・・・の追加登録処理を、図１９に示すように、実行する。管理装置Ｋｓは、デバイスＤ１、Ｄ２、・・・の追加が発生すると、予め用意している次に割り振るＰＡＮアドレスを、割り振るＰＡＮアドレスとして設定する（ステップＳ２０１）。
【０１０１】
管理装置Ｋｓは、元の次に割り振るＰＡＮアドレスを、「１」だけインクリメントして、次に割り振るＰＡＮアドレスとして設定する（次に割り振るＰＡＮアドレス＋１→次に割り振るＰＡＮアドレス）（ステップＳ２０２）。
【０１０２】
管理装置Ｋｓは、インクリメントした次に割り振るＰＡＮアドレスが、デバイス管理テーブルＴｂ１に既に存在するかチェックする（ステップＳ２０３）。
【０１０３】
ステップＳ２０３で、ＰＡＮアドレスが既にデバイス管理テーブルＴｂ１に存在すると（ステップＳ２０３で、ＹＥＳのとき）、管理装置Ｋｓは、次に割り振るＰＡＮアドレスを「１」だけインクリメントする（ステップＳ２０４）。管理装置Ｋｓは、ステップＳ２０３に戻って、インクリメントした次に割り振るＰＡＮアドレスが、デバイス管理テーブルＴｂ１に既に存在するかチェックする処理から同様の処理を行う（ステップＳ２０３〜Ｓ２０４）。
【０１０４】
ステップＳ２０３で、次に割り振るＰＡＮアドレスがデバイス管理テーブルＴｂ１に登録されていないと（ステップＳ２０３で、ＮＯのとき）、管理装置Ｋｓは、デバイス管理テーブルＴｂ１の次に割り振るアドレスにデバイスＤ１、Ｄ２、・・・を追加登録する（ステップＳ２０５）。
【０１０５】
また、管理装置Ｋｓは、デバイスＤ１、Ｄ２、・・・の削除が発生すると、図２０に示すように、デバイスＤ１、Ｄ２、・・・の削除処理を行う。
【０１０６】
すなわち、管理装置Ｋｓは、図２０に示すように、次に割り振るＰＡＮアドレスと、削除するデバイスＤ１、Ｄ２、・・・のＰＡＮアドレスを比較する（ステップＳ３０１）。
【０１０７】
ステップＳ３０１で、削除するＰＡＮアドレスの方が次に割り振るＰＡＮアドレスよりも小さいと（ステップＳ３０１）、管理装置Ｋｓは、次に割り振るＰＡＮアドレスに、削除するＰＡＮアドレスを設定する（ステップＳ３０２）。
【０１０８】
管理装置Ｋｓは、デバイス管理テーブルＴｂ１から削除対象のデバイスＤ１、Ｄ２、・・・のＰＡＮアドレスを削除して、デバイス削除処理を終了する（ステップＳ３０３）。
【０１０９】
このように、本実施例の無線通信システム１は、ネットワーク設定に応じた近距離無線ネットワーク（無線ネットワーク）ＰＡＮ１、ＰＡＮ２を介してデバイスＤ１、Ｄ２、・・・と無線通信を行うデバイス管理装置２であって、ネットワーク設定を保持して、該ネットワーク設定に応じた無線ネットワークＰＡＮ１、ＰＡＮ２を介して前記デバイスＤ１、Ｄ２、・・・と無線通信を行う通信部（通信手段）４１と、前記通信部４１に対して複数のネットワーク設定を切り換えて設定して該ネットワーク設定に対応する無線ネットワークＰＡＮ１、ＰＡＮ２を介して該ネットワーク設定を利用している前記デバイスＤ１、Ｄ２、・・・と通信させるネットワーク設定切換部（ネットワーク設定切換手段）４２と、前記デバイスＤ１、Ｄ２、・・・に対する新規ネットワーク設定を生成するネットワーク設定生成部（ネットワーク設定生成手段）４４と、前記ネットワーク設定切換部４２に、前記初期ネットワーク設定を前記通信部４１へ設定させて、該通信部４１によって該初期ネットワーク設定の前記デバイスＤ１、Ｄ２、・・・へ前記新規ネットワーク設定を送信させ、該デバイスＤ１、Ｄ２、・・・に該新規ネットワーク設定を更新させるネットワーク設定更新部（ネットワーク設定更新手段）４３と、を備えている。
【０１１０】
したがって、デバイスＤ１、Ｄ２、・・・のネットワーク設定を、適切かつ自動的に設定変更することができ、近距離無線ネットワークＰＡＮ１、ＰＡＮ２を利用するデバイスＤ１、Ｄ２、・・・の管理を効率的に行うことができる。
【０１１１】
また、本実施例の無線通信システム１は、ネットワーク設定に応じた近距離無線ネットワークＰＡＮ１、ＰＡＮ２を介してデバイスＤ１、Ｄ２、・・・とデバイス管理装置２が無線通信する無線通信システムであって、前記デバイス管理装置２は、ネットワーク設定を保持して、該ネットワーク設定に応じた無線ネットワークＰＡＮ１、ＰＡＮ２を介して前記デバイスＤ１、Ｄ２、・・・と無線通信を行う通信部（通信手段）４１と、前記通信部４１に対して複数のネットワーク設定を切り換えて設定して該ネットワーク設定に対応する無線ネットワークＰＡＮ１、ＰＡＮ２を介して該ネットワーク設定を利用している前記デバイスＤ１、Ｄ２、・・・と通信させるネットワーク設定切換部（ネットワーク設定切換手段）４２と、前記デバイスＤ１、Ｄ２、・・・に対する新規ネットワーク設定を生成するネットワーク設定生成部（ネットワーク設定生成手段）４４と、前記ネットワーク設定切換部４２に、前記デバイスＤ１、Ｄ２、・・・の初期ネットワーク設定を前記通信部４１に設定させて、該通信部４１によって該初期ネットワーク設定の前記デバイスＤ１、Ｄ２、・・・へ前記新規ネットワーク設定を送信させ、該デバイスＤ１、Ｄ２、・・・に該新規ネットワーク設定を更新させるネットワーク設定更新部（ネットワーク設定更新手段）４３と、を備え、前記デバイスＤ１、Ｄ２、・・・は、ネットワーク設定を保持して、該ネットワーク設定に応じた無線ネットワークＰＡＮ１、ＰＡＮ２を介して無線通信する通信部（通信手段）５１と、前記通信部５１が新規ネットワーク設定を受信すると、前記通信部５１の前記ネットワーク設定を該新規ネットワーク設定で更新する設定更新部（設定更新手段）５２と、を備えている。
【０１１２】
したがって、デバイスＤ１、Ｄ２、・・・のネットワーク設定を、適切かつ自動的に設定変更することができ、近距離無線ネットワークＰＡＮ１、ＰＡＮ２を利用するデバイスＤ１、Ｄ２、・・・の管理を効率的に行うことができる。
【０１１３】
さらに、本実施例の無線通信システム１は、ネットワーク設定に応じた近距離無線ネットワークＰＡＮ１、ＰＡＮ２を介してデバイスＤ１、Ｄ２、・・・と無線通信を行うデバイス管理装置２が、ネットワーク設定を保持して、該ネットワーク設定に応じた無線ネットワークＰＡＮ１、ＰＡＮ２を介して前記デバイスＤ１、Ｄ２、・・・と通信部４１で無線通信を行う通信処理ステップと、前記通信部４１に対して複数のネットワーク設定を切り換えて設定して該ネットワーク設定に対応する無線ネットワークＰＡＮ１、ＰＡＮ２を介して該ネットワーク設定を利用している前記デバイスＤ１、Ｄ２、・・・と通信させるネットワーク設定切換処理ステップと、前記デバイスＤ１、Ｄ２、・・・に対する新規ネットワーク設定を生成するネットワーク設定生成処理ステップと、前記ネットワーク設定切換処理ステップで、前記デバイスＤ１、Ｄ２、・・・の初期ネットワーク設定を前記通信部４１へ設定させて、該通信部４１を用いた前記通信処理ステップによって該初期ネットワーク設定の前記デバイスＤ１、Ｄ２、・・・へ前記新規ネットワーク設定を送信させ、該デバイスＤ１、Ｄ２、・・・に該新規ネットワーク設定を更新させるネットワーク設定更新処理ステップと、を有するデバイス管理方法を実行する。
【０１１４】
したがって、デバイスＤ１、Ｄ２、・・・のネットワーク設定を、適切かつ自動的に設定変更することができ、近距離無線ネットワークＰＡＮ１、ＰＡＮ２を利用するデバイスＤ１、Ｄ２、・・・の管理を効率的に行うことができる。
【０１１５】
また、本実施例の無線通信システム１は、ネットワーク設定に応じた近距離無線ネットワークＰＡＮ１、ＰＡＮ２を介してデバイスＤ１、Ｄ２、・・・と無線通信を行うデバイス管理装置２が、ＣＰＵ１１、ＣＰＵ２１等の制御プロセッサに、ネットワーク設定を保持して、該ネットワーク設定に応じた近距離無線ネットワークＰＡＮ１、ＰＡＮ２を介して前記デバイスＤ１、Ｄ２、・・・と通信部４１で無線通信を行う通信処理と、前記通信部４１に対して複数のネットワーク設定を切り換えて設定して該ネットワーク設定に対応する近距離無線ネットワークＰＡＮ１、ＰＡＮ２を介して該ネットワーク設定を利用している前記デバイスＤ１、Ｄ２、・・・と通信させるネットワーク設定切換処理と、前記デバイスＤ１、Ｄ２、・・・に対する新規ネットワーク設定を生成するネットワーク設定生成処理と、前記ネットワーク設定切換処理で、前記デバイスＤ１、Ｄ２、・・・の初期ネットワーク設定を前記通信部４１へ設定させて、該通信部を用いた前記通信処理によって該初期ネットワーク設定の前記デバイスＤ１、Ｄ２、・・・へ前記新規ネットワーク設定を送信させ、該デバイスＤ１、Ｄ２、・・・に該新規ネットワーク設定を更新させるネットワーク設定更新処理と、を実行させるプログラムを搭載している。
【０１１６】
したがって、デバイスＤ１、Ｄ２、・・・のネットワーク設定を、適切かつ自動的に設定変更することができ、近距離無線ネットワークＰＡＮ１、ＰＡＮ２を利用するデバイスＤ１、Ｄ２、・・・の管理を効率的に行うことができる。
【０１１７】
さらに、本実施例の無線通信システム１は、前記デバイス管理装置２が、前記デバイスＤ１、Ｄ２、・・・を識別するデバイス識別情報を前記通信部４１に取得させる識別情報取得部（識別情報取得手段）４５と、前記デバイスＤ１、Ｄ２、・・・の前記デバイス識別情報と該デバイスＤ１、Ｄ２、・・・の前記ネットワーク設定を関連付けて記憶する情報記憶部（情報記憶手段）４７と、前記識別情報取得部４５の取得した前記デバイスＤ１、Ｄ２、・・・の前記デバイス識別情報を該デバイスＤ１、Ｄ２、・・・のネットワーク設定と関連付けて前記情報記憶部４７に登録し、前記ネットワーク設定更新部４４が該デバイスＤ１、Ｄ２、・・・の該ネットワーク設定を更新させると、該情報記憶部４７の該デバイスＤ１、Ｄ２、・・・の該デバイス識別情報を更新後の該ネットワーク設定に更新する登録部（登録手段）４６と、を備えている。
【０１１８】
したがって、デバイスＤ１、Ｄ２、・・・のネットワーク設定を、個々のデバイスＤ１、Ｄ２、・・・に対して、適切かつ自動的に設定変更することができる。その結果、近距離無線ネットワークＰＡＮ１、ＰＡＮ２を利用するデバイスＤ１、Ｄ２、・・・の管理を効率的に行うことができる。
【０１１９】
また、本実施例の無線通信システム１は、前記ネットワーク設定生成部４３が、前記情報記憶部４７を参照して、前記ネットワーク設定を、重複を防止した状態で生成する。
【０１２０】
したがって、デバイスＤ１、Ｄ２、・・・の新規ネットワーク設定を、重複することなく、より一層適切に設定することができ、近距離無線ネットワークＰＡＮ１、ＰＡＮ２を利用するデバイスＤ１、Ｄ２、・・・の管理を効率的にかつ適切に行うことができる。
【０１２１】
さらに、本実施例の無線通信システム１は、前記ネットワーク設定切換部４２が、前記ネットワーク設定更新部４４からネットワーク設定切換要求があった場合にのみ、前記通信部４１に、前記初期ネットワーク設定を設定して、該初期ネットワーク設定の前記デバイスＤ１、Ｄ２、・・・と通信させる。
【０１２２】
したがって、デバイスＤ１、Ｄ２、・・・の新規ネットワーク設定を、より一層適切に設定することができ、近距離無線ネットワークＰＡＮ１、ＰＡＮ２を利用するデバイスＤ１、Ｄ２、・・・の管理を効率的にかつ適切に行うことができる。
【０１２３】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１２４】
１  無線通信システム
２  デバイス管理装置
Ｄ１、D２、・・・  デバイス
Ｋｓ  管理装置
Ｓｖ  サーバ装置
ＮＷ  ネットワーク
ＰＡＮ１、ＰＡＮ２  近距離無線ネットワーク
１１  ＣＰＵ
１２  ＲＯＭ
１３  ＲＡＭ
１４  不揮発性メモリ
１５  入力Ｉ／Ｆ
１６  出力Ｉ／Ｆ
１７  通信デバイス
１８  バス
２１  ＣＰＵ
２２  ＲＯＭ
２３  ＲＡＭ
２４  不揮発性メモリ
２５  入力Ｉ／Ｆ
２６  出力Ｉ／Ｆ
２７  通信デバイス
２８  バス
３１  通信デバイス
３２  動作制御デバイス
３３  動作デバイス
４０  制御部
４１  通信部
４２  ネットワーク設定切換部
４３  ネットワーク設定生成部
４４  ネットワーク設定更新部
４５  識別情報取得部
４６  登録部
４７  情報記憶部
Ｔｂ１  デバイス管理テーブル
５１  通信部
５２  設定更新部
【先行技術文献】
【特許文献】
【０１２５】
【特許文献１】特開２０１１−０３００５３号公報
【図１】
2016174207.tif 000003
【図２】
2016174207.tif 000004
【図３】
2016174207.tif 000005
【図４】
2016174207.tif 000006
【図５】
2016174207.tif 000007
【図６】
2016174207.tif 000008
【図７】
2016174207.tif 000009
【図８】
2016174207.tif 000010
【図９】
2016174207.tif 000011
【図１０】
2016174207.tif 000012
【図１１】
2016174207.tif 000013
【図１２】
2016174207.tif 000014
【図１３】
2016174207.tif 000015
【図１４】
2016174207.tif 000016
【図１５】
2016174207.tif 000017
【図１６】
2016174207.tif 000018
【図１７】
2016174207.tif 000019
【図１８】
2016174207.tif 000020
【図１９】
2016174207.tif 000021
【図２０】
2016174207.tif 000022